(57)【要約】  本発明は波長分割多重化方式の受動光ネットワークシステム及び多重リング構造波長分割多重化方式の受動光ネットワークシステムに関するもので、波長分割多重化方式の受動光ネットワークシステムの光通信線路と中央基地局の多重化／逆多重化器との間に送受信される信号を適切に補償するように具現し、波長分割多重化方式の受動光ネットワークシステムに複数のリング状の光通信線路を採用することにより、光通信線路上に各種機器をインターフェースすることによって発生する挿入損失、光ケーブル劣化などによる損失など、多様な環境的要因によって発生する損失を適切に補償して通信品質及び安全性を向上させるようにしたものである。
2007535237.tif 000002
【特許請求の範囲】
【請求項１】
リング状の光通信線路と；
互いに異なる波長の光信号を発生する多数の光送信部と、前記光送信部と対をなし、対をなす光送信部と同一波長の光信号を受信し、これを電気的な信号に変換して出力する光受信部と、入力される互いに異なる波長の光信号を多重化して前記光通信線路に出力し、前記光通信線路を通じて入力される多重化された光信号を逆多重化して出力する多重化／逆多重化器と、指定された光送信部から出力される光信号を前記多重化／逆多重化器に出力し、前記多重化／逆多重化器で逆多重化されて入力される光信号を指定された光受信部に出力する多数の光循環器とを含む中央基地局と；
前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器を通じてドロップされた光信号を加入者装置の光受信部に出力し、前記加入者装置の光送信部から入力される光信号を前記光分岐／結合器に出力する光循環器を含む少なくとも１以上の地域基地局と；
を含む波長分割多重化（ＷＤＭ：Ｗａｖｅｌｅｎｇｔｈ  Ｄｉｖｉｓｉｏｎ  Ｍｕｌｔｉｐｌｅｘｉｎｇ）方式の受動光ネットワーク（ＰＯＮ：Ｐａｓｓｉｖｅ  Ｏｐｔｉｃａｌ  Ｎｅｔｗｏｒｋ）システムにおいて、
前記波長分割多重化方式の受動光ネットワークシステムが：
前記光通信線路と前記中央基地局の多重化／逆多重化器との間に送受信される信号を補償する信号補償部をさらに含むことを特徴とする、波長分割多重化方式の受動光ネットワークシステム。
【請求項２】
前記信号補償部が：
前記中央基地局の多重化／逆多重化器から出力される信号と、前記中央基地局の多重化／逆多重化器に入力される信号とが互いに異なる経路を通じて送受信されるようにする第１光循環器と；
前記光通信線路に送信される信号を分岐して出力し、前記光通信線路から伝送される信号を受信する１×２カプラーと；
前記１×２カプラーから入力される信号と、前記１×２カプラーに出力される信号とが互いに異なる経路を通じて送受信されるようにする第２光循環器と；
前記第１光循環器と第２光循環器との間の二つの経路上に互いに反対方向に設置され、この二つの経路を通じて送受信される信号を増幅して補償する一対の増幅器と；
を含んでなることを特徴とする、請求項１に記載の波長分割多重化方式の受動光ネットワークシステム。
【請求項３】
前記信号補償部が：
前記中央基地局の多重化／逆多重化器から出力される信号と、前記中央基地局の多重化／逆多重化器に入力される信号とが互いに異なる経路を通じて送受信されるようにする光循環器と；
前記光通信線路に送信される信号を分岐して出力し、前記光通信線路から受信される信号を分岐して出力する２×２カプラーと；
前記光循環器と２×２カプラーとの間の二つの経路上に互いに反対方向に設置され、この二つの経路を通じて送受信される信号を増幅して補償する一対の増幅器と；
を含んでなることを特徴とする、請求項１に記載の波長分割多重化方式の受動光ネットワークシステム。
【請求項４】
前記信号補償部が：
前記中央基地局の多重化／逆多重化器から出力される信号を分岐して出力し、前記中央基地局の多重化／逆多重化器に伝送される信号を受信する１×２カプラーと；
前記光通信線路に送信される信号を分岐して出力し、前記光通信線路から受信される信号を分岐して出力する２×２カプラーと；
前記１×２カプラーと２×２カプラーとの間の二つの経路上に互いに反対方向に設置され、この二つの経路を通じて送受信される信号を増幅して補償する一対の増幅器と；
を含んでなることを特徴とする、請求項１に記載の波長分割多重化方式の受動光ネットワークシステム。
【請求項５】
前記信号補償部が：
前記中央基地局の多重化／逆多重化器から出力される信号を分岐して出力し、前記中央基地局の多重化／逆多重化器に伝送される信号を受信する第１１×２カプラーと；
前記光通信線路に送信される信号を分岐して出力し、前記光通信線路から伝送される信号を受信する第２１×２カプラーと；
前記第２１×２カプラーから入力される信号と、前記第２１×２カプラーに出力される信号とが互いに異なる経路を通じて送受信されるようにする光循環器と；
前記第１１×２カプラーと光循環器との間の二つの経路上に互いに反対方向に設置され、この二つの経路を通じて送受信される信号を増幅して補償する一対の増幅器と；
を含んでなることを特徴とする、請求項１に記載の波長分割多重化方式の受動光ネットワークシステム。
【請求項６】
前記信号補償部が：
前記中央基地局の多重化／逆多重化器から出力される信号を分岐して出力し、前記中央基地局の多重化／逆多重化器に伝送される信号を受信する第１１×２カプラーと；
前記第１１×２カプラーの分岐側のそれぞれに設置され、前記第１１×２カプラーから分岐して出力された信号とこれに入力される信号とがそれぞれ互いに異なる経路を通じて送受信されるようにする一対の光循環器と；
前記光通信線路に送信される信号をそれぞれ出力し、前記光通信線路から受信された信号をそれぞれ分岐して出力する一対の第２１×２カプラーと；
前記一対の光循環器と一対の第２１×２カプラーとの間にそれぞれ形成された二つの経路上に互いに反対方向に設置された一対の増幅器をそれぞれ備え、この二つの経路を通じて送受信される信号を増幅して補償する一対の増幅器と；
を含んでなることを特徴とする、請求項１に記載の波長分割多重化方式の受動光ネットワークシステム。
【請求項７】
前記信号補償部が：
前記中央基地局の多重化／逆多重化器から出力される信号を分岐して出力し、前記中央基地局の多重化／逆多重化器に伝送される信号を受信する１×２カプラーと；
前記１×２カプラーの分岐側のそれぞれに設置され、前記１×２カプラーから分岐して出力された信号とこれに入力される信号とがそれぞれ互いに異なる経路を通じて送受信されるようにする一対の第１光循環器と；
前記光通信線路に送信される信号と、前記光通信線路から受信された信号とを互いに異なる経路を通じてそれぞれ出力する一対の第２光循環器と；
前記一対の第１光循環器と一対の第２光循環器との間にそれぞれ形成された二つの経路上に互いに反対方向に設置された一対の増幅器をそれぞれ備え、この二つの経路を通じて送受信される信号を増幅して補償する一対の増幅器と；
を含んでなることを特徴とする、請求項１に記載の波長分割多重化方式の受動光ネットワークシステム。
【請求項８】
リング状の光通信線路と；
互いに異なる波長の光信号を発生する多数の光送信部と前記光送信部と対をなし、対をなす光送信部と同一波長の光信号を受信し、これを電気的な信号に変換して出力する光受信部を含む多数のメディア変換器と、前記メディア変換器から入力される互いに異なる波長の光信号を多重化して前記光通信線路に出力し、前記光通信線路を通じて入力される多重化された光信号を逆多重化して前記メディア変換器に出力する多重化／逆多重化器と、前記メディア変換器の光送信部から出力される光信号を前記多重化／逆多重化器に出力し、前記多重化／逆多重化器で逆多重化されて入力される光信号を前記メディア変換器の光受信部に出力する多数の光循環器とを含む中央基地局と；
前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器のマスターチャンネルとスレーブチャンネルのそれぞれに連結される第１及び第２光循環器、前記第１及び第２光循環器のいずれか一つに光信号を発生して伝送し、前記光循環器を通じて伝送される光信号を電気的な信号に変換して加入者装置に出力するマスター及びスレーブ光送受信部、前記マスター及びスレーブ光送受信部の状態及び回線切替状態を検出していずれか一つの光送受信部のみを活性化させる制御部、及び前記マスター及びスレーブ光送受信部のそれぞれに連結され、加入者装置とのデータインターフェーシングを行うインターフェース部を含むリダンダンシーメディア変換器とを含む少なくとも１以上の地域基地局と；
を含む波長分割多重化（ＷＤＭ：Ｗａｖｅｌｅｎｇｔｈ  Ｄｉｖｉｓｉｏｎ  Ｍｕｌｔｉｐｌｅｘｉｎｇ）方式の受動光ネットワーク（ＰＯＮ：Ｐａｓｓｉｖｅ  Ｏｐｔｉｃａｌ  Ｎｅｔｗｏｒｋ）システムにおいて、
前記波長分割多重化方式の受動光ネットワークシステムが：
前記光通信線路と前記中央基地局の多重化／逆多重化器との間に送受信される信号を補償する信号補償部をさらに含むことを特徴とする、波長分割多重化方式の受動光ネットワークシステム。
【請求項９】
前記信号補償部が：
前記中央基地局の多重化／逆多重化器から出力される信号と、前記中央基地局の多重化／逆多重化器に入力される信号とが互いに異なる経路を通じて送受信されるようにする第１光循環器と；
前記光通信線路に送信される信号を分岐して出力し、前記光通信線路から伝送される信号を受信する１×２カプラーと；
前記１×２カプラーから入力される信号と、前記１×２カプラーに出力される信号とが互いに異なる経路を通じて送受信されるようにする第２光循環器と；
前記第１光循環器と第２光循環器との間の二つの経路上に互いに反対方向に設置され、この二つの経路を通じて送受信される信号を増幅して補償する一対の増幅器と；
を含んでなることを特徴とする、請求項８に記載の波長分割多重化方式の受動光ネットワークシステム。
【請求項１０】
前記信号補償部が：
前記中央基地局の多重化／逆多重化器から出力される信号と、前記中央基地局の多重化／逆多重化器に入力される信号とが互いに異なる経路を通じて送受信されるようにする光循環器と；
前記光通信線路に送信される信号を分岐して出力し、前記光通信線路から受信される信号を分岐して出力する２×２カプラーと；
前記光循環器と２×２カプラーとの間の二つの経路上に互いに反対方向に設置され、この二つの経路を通じて送受信される信号を増幅して補償する一対の増幅器と；
を含んでなることを特徴とする、請求項８に記載の波長分割多重化方式の受動光ネットワークシステム。
【請求項１１】
前記信号補償部が：
前記中央基地局の多重化／逆多重化器から出力される信号を分岐して出力し、前記中央基地局の多重化／逆多重化器に伝送される信号を受信する１×２カプラーと；
前記光通信線路に送信される信号を分岐して出力し、前記光通信線路から受信される信号を分岐して出力する２×２カプラーと；
前記１×２カプラーと２×２カプラーとの間の二つの経路上に互いに反対方向に設置され、この二つの経路を通じて送受信される信号を増幅して補償する一対の増幅器と；
を含んでなることを特徴とする、請求項８に記載の波長分割多重化方式の受動光ネットワークシステム。
【請求項１２】
前記信号補償部が：
前記中央基地局の多重化／逆多重化器から出力される信号を分岐して出力し、前記中央基地局の多重化／逆多重化器に伝送される信号を受信する第１１×２カプラーと；
前記光通信線路に送信される信号を分岐して出力し、前記光通信線路から伝送される信号を受信する第２１×２カプラーと；
前記第２１×２カプラーから入力される信号と、前記第２１×２カプラーに出力される信号とが互いに異なる経路を通じて送受信されるようにする光循環器と；
前記第１１×２カプラーと光循環器との間の二つの経路上に互いに反対方向に設置され、この二つの経路を通じて送受信される信号を増幅して補償する一対の増幅器と；
を含んでなることを特徴とする、請求項８に記載の波長分割多重化方式の受動光ネットワークシステム。
【請求項１３】
前記信号補償部が：
前記中央基地局の多重化／逆多重化器から出力される信号を分岐して出力し、前記中央基地局の多重化／逆多重化器に伝送される信号を受信する第１１×２カプラーと；
前記第１１×２カプラーの分岐側のそれぞれに設置され、前記第１１×２カプラーから分岐して出力された信号とこれに入力される信号とがそれぞれ互いに異なる経路を通じて送受信されるようにする一対の光循環器と；
前記光通信線路に送信される信号をそれぞれ出力し、前記光通信線路から受信された信号をそれぞれ分岐して出力する一対の第２１×２カプラーと；
前記一対の光循環器と一対の第２１×２カプラーとの間にそれぞれ形成された二つの経路上に互いに反対方向に設置された一対の増幅器をそれぞれ備え、この二つの経路を通じて送受信される信号を増幅して補償する一対の増幅器と；
を含んでなることを特徴とする、請求項８に記載の波長分割多重化方式の受動光ネットワークシステム。
【請求項１４】
前記信号補償部が：
前記中央基地局の多重化／逆多重化器から出力される信号を分岐して出力し、前記中央基地局の多重化／逆多重化器に伝送される信号を受信する１×２カプラーと；
前記１×２カプラーの分岐側のそれぞれに設置され、前記１×２カプラーから分岐して出力された信号とこれに入力される信号とがそれぞれ互いに異なる経路を通じて送受信されるようにする一対の第１光循環器と；
前記光通信線路に送信される信号と、前記光通信線路から受信された信号とを互いに異なる経路を通じてそれぞれ出力する一対の第２光循環器と；
前記一対の第１光循環器と一対の第２光循環器との間にそれぞれ形成された二つの経路上に互いに反対方向に設置された一対の増幅器をそれぞれ備え、この二つの経路を通じて送受信される信号を増幅して補償する一対の増幅器と；
を含んでなることを特徴とする、請求項８に記載の波長分割多重化方式の受動光ネットワークシステム。
【請求項１５】
リング状の光通信線路と；
互いに異なる波長の光信号を発生する多数の光送信部と、前記光送信部と対をなし、対をなす光送信部と同一波長の光信号を受信し、これを電気的な信号に変換して出力する光受信部と、入力される互いに異なる波長の光信号を多重化して前記光通信線路に出力し、前記光通信線路を通じて入力される多重化された光信号を逆多重化して出力する多重化／逆多重化器と、指定された光送信部から出力される光信号を前記多重化／逆多重化器に出力し、前記多重化／逆多重化器で逆多重化されて入力される光信号を指定された光受信部に出力する多数の光循環器とを含む中央基地局と；
前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器を通じてドロップされた光信号を加入者装置の光受信部に出力し、前記加入者装置の光送信部から入力される光信号を前記光分岐／結合器に出力する光循環器とを含む少なくとも１以上の地域基地局と；
を含む波長分割多重化（ＷＤＭ：Ｗａｖｅｌｅｎｇｔｈ  Ｄｉｖｉｓｉｏｎ  Ｍｕｌｔｉｐｌｅｘｉｎｇ）方式の受動光ネットワーク（ＰＯＮ：Ｐａｓｓｉｖｅ  Ｏｐｔｉｃａｌ  Ｎｅｔｗｏｒｋ）システムにおいて、
前記波長分割多重化方式の受動光ネットワークシステムが：
複数のリング状の光通信線路と；
前記リング状の光通信線路のそれぞれに接続され、前記光通信線路と前記中央基地局の多重化／逆多重化器との間に送受信される信号をそれぞれ補償する複数の信号補償部と；
前記複数の信号補償部のそれぞれと前記中央基地局の多重化／逆多重化器との間に接続され、前記多重化／逆多重化器から出力される信号を分岐して前記信号補償部のそれぞれに出力するか、あるいは前記信号補償部のそれぞれから出力される信号を前記多重化／逆多重化器に出力する光カプラーと；
を含んでなることを特徴とする、多重リング構造波長分割多重化方式の受動光ネットワークシステム。
【請求項１６】
前記信号補償部が：
前記中央基地局の多重化／逆多重化器から出力される信号と、前記中央基地局の多重化／逆多重化器に入力される信号とが互いに異なる経路を通じて送受信されるようにする第１光循環器と；
前記光通信線路に送信される信号を分岐して出力し、前記光通信線路から伝送される信号を受信する１×２カプラーと；
前記１×２カプラーから入力される信号と、前記１×２カプラーに出力される信号とが互いに異なる経路を通じて送受信されるようにする第２光循環器と；
前記第１光循環器と第２光循環器との間の二つの経路上に互いに反対方向に設置され、この二つの経路を通じて送受信される信号を増幅して補償する一対の増幅器と；
を含んでなることを特徴とする、請求項１５に記載の多重リング構造波長分割多重化方式の受動光ネットワークシステム。
【請求項１７】
前記信号補償部が：
前記中央基地局の多重化／逆多重化器から出力される信号と、前記中央基地局の多重化／逆多重化器に入力される信号とが互いに異なる経路を通じて送受信されるようにする光循環器と；
前記光通信線路に送信される信号を分岐して出力し、前記光通信線路から受信される信号を分岐して出力する２×２カプラーと；
前記光循環器と２×２カプラーとの間の二つの経路上に互いに反対方向に設置され、この二つの経路を通じて送受信される信号を増幅して補償する一対の増幅器と；
を含んでなることを特徴とする、請求項１５に記載の多重リング構造波長分割多重化方式の受動光ネットワークシステム。
【請求項１８】
前記信号補償部が：
前記中央基地局の多重化／逆多重化器から出力される信号を分岐して出力し、前記中央基地局の多重化／逆多重化器に伝送される信号を受信する１×２カプラーと；
前記光通信線路に送信される信号を分岐して出力し、前記光通信線路から受信される信号を分岐して出力する２×２カプラーと；
前記１×２カプラーと２×２カプラーとの間の二つの経路上に互いに反対方向に設置され、この二つの経路を通じて送受信される信号を増幅して補償する一対の増幅器と；
を含んでなることを特徴とする、請求項１５に記載の多重リング構造波長分割多重化方式の受動光ネットワークシステム。
【請求項１９】
前記信号補償部が：
前記中央基地局の多重化／逆多重化器から出力される信号を分岐して出力し、前記中央基地局の多重化／逆多重化器に伝送される信号を受信する第１１×２カプラーと；
前記光通信線路に送信される信号を分岐して出力し、前記光通信線路から伝送される信号を受信する第２１×２カプラーと；
前記第２１×２カプラーから入力される信号と、前記第２１×２カプラーに出力される信号とが互いに異なる経路を通じて送受信されるようにする光循環器と；
前記第１１×２カプラーと光循環器との間の二つの経路上に互いに反対方向に設置され、この二つの経路を通じて送受信される信号を増幅して補償する一対の増幅器と；
を含んでなることを特徴とする、請求項１５に記載の多重リング構造波長分割多重化方式の受動光ネットワークシステム。
【請求項２０】
前記信号補償部が：
前記中央基地局の多重化／逆多重化器から出力される信号を分岐して出力し、前記中央基地局の多重化／逆多重化器に伝送される信号を受信する第１１×２カプラーと；
前記第１１×２カプラーの分岐側のそれぞれに設置され、前記第１１×２カプラーから分岐して出力された信号とこれに入力される信号とがそれぞれ互いに異なる経路を通じて送受信されるようにする一対の光循環器と；
前記光通信線路に送信される信号をそれぞれ出力し、前記光通信線路から受信された信号をそれぞれ分岐して出力する一対の第２１×２カプラーと；
前記一対の光循環器と一対の第２１×２カプラーとの間にそれぞれ形成された二つの経路上に互いに反対方向に設置された一対の増幅器をそれぞれ備え、この二つの経路を通じて送受信される信号を増幅して補償する一対の増幅器と；
を含んでなることを特徴とする、請求項１５に記載の多重リング構造波長分割多重化方式の受動光ネットワークシステム。
【請求項２１】
前記信号補償部が：
前記中央基地局の多重化／逆多重化器から出力される信号を分岐して出力し、前記中央基地局の多重化／逆多重化器に伝送される信号を受信する１×２カプラーと；
前記１×２カプラーの分岐側のそれぞれに設置され、前記１×２カプラーから分岐して出力された信号とこれに入力される信号とがそれぞれ互いに異なる経路を通じて送受信されるようにする一対の第１光循環器と；
前記光通信線路に送信される信号と、前記光通信線路から受信された信号とを互いに異なる経路を通じてそれぞれ出力する一対の第２光循環器と；
前記一対の第１光循環器と一対の第２光循環器との間にそれぞれ形成された二つの経路上に互いに反対方向に設置された一対の増幅器をそれぞれ備え、この二つの経路を通じて送受信される信号を増幅して補償する一対の増幅器と；
を含んでなることを特徴とする、請求項１５に記載の多重リング構造波長分割多重化方式の受動光ネットワークシステム。
【発明の詳細な説明】
【発明の詳細な説明】
【０００１】
〔技術分野〕
本発明は波長分割多重化方式の受動光ネットワークシステム及び多重リング構造波長分割多重化方式の受動光ネットワークシステムに関するもので、特に少なくとも一つの光通信線路上の各種器機インターフェースによって引き起こされる接続ノード損失などの各種損失を補償するようにした波長分割多重化方式の受動光ネットワークシステムに関するものである。
【０００２】
〔背景技術〕
波長分割多重化（ＷＤＭ：Ｗａｖｅ  ｌｅｎｇｔｈ  Ｄｉｖｉｓｉｏｎ  Ｍｕｌｔｉｐｌｅｘｉｎｇ）方式は、中央基地局（ＣＯ：Ｃｅｎｔｒａｌ  Ｏｆｆｉｃｅ）で各加入者に互いに異なる波長を割り当て、同時にデータを伝送する方式であって、各加入者は割り当てられた波長を利用して常にデータを送／受信することができる。この方式は、各加入者に大容量のデータを伝送することができるだけでなく、通信の保安性にすぐれ、性能向上が容易な利点を有する。
【０００３】
一方、受動光ネットワーク（ＰＯＮ：Ｐａｓｓｉｖｅ  Ｏｐｔｉｃａｌ  Ｎｅｔｗｏｒｋ）と言うのは光加入者網構築方式の一つで、光ケーブルに受動光分配素子を使用して、一つのＯＬＴ（Ｏｐｔｉｃａｌ  Ｌｉｎｅ  Ｔｅｒｍｉｎａｔｉｏｎ）が多くのＯＮＵ（Ｏｐｔｉｃａｌ  Ｎｅｔｗｏｒｋ  Ｕｎｉｔ）を接続することができるようにする方式である。このような受動光ネットワーク（ＰＯＮ）は、中央基地局（ＣＯ）から地域基地局（ＲＮ：Ｒｅｍｏｔｅ  Ｎｏｄｅ）までは一つの光繊維を通じて伝送され、地域基地局（ＲＮ）にある受動光分配素子に分けられて各加入者まで光繊維を通じて伝送される。すなわち、受動光ネットワーク（ＰＯＮ）は、中央基地局（ＣＯ）から加入者の隣接地域に設置された地域基地局（ＲＮ）までは単一光繊維で連結され、地域基地局（ＲＮ）から各加入者までは独立した光繊維で連結される構造であるから、中央基地局（ＣＯ）から加入者まで１対１で光ケーブルを敷設することに比べ、相対的にケーブル費用を節減することができる。
【０００４】
前記波長分割多重化（ＷＤＭ：Ｗａｖｅｌｅｎｇｔｈ  Ｄｉｖｉｓｉｏｎ  Ｍｕｌｔｉｐｌｅｘｉｎｇ）技術と受動光ネットワーク（ＰＯＮ：Ｐａｓｓｉｖｅ  Ｏｐｔｉｃａｌ  Ｎｅｔｗｏｒｋ）技術を結合して一つの波長分割多重化（ＷＤＭ）方式の受動光ネットワーク（ＰＯＮ）システムを具現することができるが、このような波長分割多重化（ＷＤＭ）方式の受動光ネットワーク（ＰＯＮ）システムは、通常ファイアー切替えまたは特定チャンネルのＬＤ（光送信部に相当）あるいはＰＤ（光受信部に相当）の故障時、これを取り替えるために余分の構成を有するリダンダンシー（Ｒｅｄｕｎｄａｎｃｙ）構造を採択している。
【０００５】
本発明の出願人は、大韓民国特許出願番号第２００３−９８９０４号（２００３．１２．２９）で、光源に流入可能な光を根本的に遮断することで、光源の寿命を延ばすことはもちろん、データパケットの伝送エラー率を低めることができる波長分割多重化（ＷＤＭ）方式の受動光ネットワーク（ＰＯＮ）システムを提案した。また、大韓民国特許出願番号第２００４−２４２３４号（２００４．０４．０８）で、リング状の光通信線路上に各種機器をインターフェースすることによって発生する挿入損失、光ケーブル劣化などによる損失など、多様な環境的要因によって発生する損失を適切に補償することができる波長分割多重化（ＷＤＭ）方式の受動光ネットワーク（ＰＯＮ）システムを提案した。
【０００６】
図１は本発明の出願人によって先出願された大韓民国特許出願番号第２００３−９８９０４号で提示した波長分割多重化方式の受動光ネットワークシステムの概要図である。
【０００７】
同図に示すように、この波長分割多重化方式の受動光ネットワークシステムは、リング状の光通信線路１００と、中央基地局２００と、多数の地域基地局３００とを含んでなり、前記中央基地局２００は、リング状の光通信線路１００を介して多数の地域基地局３００と連結される。
【０００８】
前記中央基地局２００は、互いに異なる波長の光信号を発生するための多数の光送信部２１０と、前記各光送信部２１０と対をなし、この対をなす光送信部２１０と同一波長の光信号を受信し、これを電気的な信号に変換して出力する多数の光受信部２２０とを含む。この際、前記光送信部２１０が互いに異なる波長の光信号を発生しないで単一の広帯域波長を発生させ、グレーティング素子（図示せず）を利用して相違なる波長の光信号を発生するように具現することもできることは当然である。
【０００９】
また、前記中央基地局２００は、後述する光循環器２４０を通じて入力される相違なる波長の光信号を多重化して前記光通信線路１００に出力し、前記光通信線路１００を通じて入力される多重化された光信号を逆多重化して前記光循環器２４０に出力する多重化／逆多重化器２３０を含む。
【００１０】
さらに、前記中央基地局２００は、指定された光送信部２１０から出力される光信号を前記多重化／逆多重化器２３０に出力し、前記多重化／逆多重化器２３０で逆多重化されてから入力される光信号を指定された光受信部２２０に出力する多数の光循環器２４０を含む。
【００１１】
この光循環器２４０は、構造上、入力ポートを通じて入射した光が決して同じポートに帰ることができないように設計された光素子である。これは、光源から発生した光はどんな経路を通じて来ても再び光源に流入しないことを意味する。このような光循環器２４０の動作について図２に示した。図２に示すように、ポート（Ｐｏｒｔ）１を通じて入力された光信号はポート２を通じて出力され、ポート２を通じて入射した光信号はポート３を通じて出力される。ポート３とポート１の連結は用いることができない。したがって、ポート１を光送信部２１０に連結し、ポート２とポート３をそれぞれ多重化／逆多重化器２３０と光受信部２２０に連結すれば、それぞれの光送信部２１０で発生した光信号はポート２を通じて多重化／逆多重化器２３０で多重化され、光通信線路１００を通じて各地域基地局３００に伝送され、リングタイプの光通信線路１００を通じて循環された光信号は多重化／逆多重化器２３０で逆多重化された後、それぞれの光循環器２４０のポート２に流入することによって、各光受信部２２０はポート３を通じて光信号を受信することになるものである。この際、ポート２を通じて流入した光信号はポート１に帰ることができずにポート３のみを通じて出力されるから、光信号が光源に流入する現象が現われなくなる。
【００１２】
したがって、低速はもちろん高速のデータ伝送時にもパケット伝送エラーが発生しない利点を有することになるものである。
【００１３】
前記地域基地局３００は、前記光通信線路１００を通じて伝送される光信号のうち、特定帯域の波長を有する信号のみをドロップさせて加入者装置（図示せず）側に出力し、前記加入者装置側から伝送される光信号を前記光通信線路１００に出力する光分岐／結合器３１０と、前記光分岐／結合器３１０を通じてドロップされた光信号を加入者装置の光受信部に出力し、前記加入者装置の光送信部から入力される光信号を前記光分岐／結合器３１０に出力する多数の光循環器３２１ａ、３２１ｂとを含む。
【００１４】
図３は両方向光分岐／結合器３１０の一例を示すものである。この両方向光分岐／結合器３１０は、リングを形成する光通信線路１００間で互いに反対方向の信号流れを有し、図示のように、Ｃｏｍ  Ｉｎ  Ｐｏｒｔを通じて光通信線路１００から入力される信号のうち、特定帯域の波長信号のみを加入者装置の光受信部に出力し、この信号と同一波長の信号を加入者装置の光送信部から受信して光通信線路１００に反射させる第１ＷＤＭ薄膜フィルターと、Ｃｏｍ  Ｏｕｔ  Ｐｏｒｔを通じて光通信線路１００から入力される信号のうち、特定帯域の波長信号のみを加入者装置のリダンダンシーのためのさらに他の光受信部に出力し、この信号と同一波長の信号をリダンダンシーのためのさらに他の光送信部から受信して光通信線路１００に反射させる第２ＷＤＭ薄膜フィルターとを含む。このような両方向光分岐／結合器３１０によって、各地域基地局３００は加入者装置（図示せず）から伝送された光信号をリングタイプの分配網で時計方向あるいは反時計方向に伝送することができることになる。
【００１５】
この際、各地域基地局３００は、図２に示すもののように動作する前記光循環器３２１ａ、３２１ｂによって、各加入者装置の光送信部に光信号が流入することを事前に遮断することができることになる。
【００１６】
一方、本発明の出願人によって先出願された大韓民国特許出願番号第２００３−９８９０４号では、さらに他の実施例としてメディア変換器を採用した波長分割多重化方式の受動光ネットワークシステムを開示している。
【００１７】
この実施例は、中央基地局２００が互いに異なる波長の光信号を発生する多数の光送信部２１０と、前記光送信部２１０と対をなし、光送信部２１０と同一波長の光信号を受信し、これを電気的な信号に変換して出力する光受信部２２０とを含む多数のメディア変換器（Ｇｅｎｅｒａｌ  ＭＣ）と、前記メディア変換器から入力される互いに異なる波長の光信号を多重化して前記光通信線路に出力し、前記光通信線路１００を通じて入力される多重化された光信号を逆多重化して前記メディア変換器に出力する多重化／逆多重化器２３０と、前記メディア変換器の光送信部２１０から出力される光信号を前記多重化／逆多重化器２３０に出力し、前記多重化／逆多重化器２３０で逆多重化されて入力される光信号を前記メディア変換器の光受信部２２０に出力する多数の光循環器２４０とを含む。
【００１８】
一方、地域基地局３００は、図１０に示すように、前記光通信線路１００を通じて伝送される光信号のうち、特定帯域の波長を有する信号のみをドロップさせて加入者装置側に出力し、前記加入者装置側から伝送される光信号を前記光通信線路１００に出力する光分岐／結合器３１０と、前記光分岐／結合器３１０のマスターチャンネルとスレーブチャンネルにそれぞれ連結される第１及び第２光循環器３２１ａ、３２１ｂ、前記第１及び第２光循環器３２１ａ、３２１ｂのいずれか一つに光信号を発生して伝送し、前記光循環器３２１ａ、３２１ｂを通じて伝送される光信号を電気的信号に変換して加入者装置に出力するマスター及びスレーブ光送受信部３２２ａ、３２２ｂ、前記マスター及びスレーブ光送受信部３２２ａ、３２２ｂの状態及び回線切替状態を検出していずれか一つの光送受信部３２２ａ、３２２ｂのみを活性化させる制御部３２３、及び前記マスター及びスレーブ光送受信部３２２ａ、３２２ｂにそれぞれ連結され、加入者装置とのデータインターフェーシングを行うインターフェース部３２４ａ、３２４ｂを含むリダンダンシーメディア変換器３２０とを含む。これらの動作については先出願明細書上に具体的に説明されているので、その詳細な説明は省略する。
【００１９】
このような本発明の出願人によって先出願された大韓民国特許出願番号第２００３−９８９０４号で提示した波長分割多重化方式の受動光ネットワークシステムにおいては、中央基地局２００の多重化／逆多重化器２３０と光通信線路１００との間に光カプラー４００を採用して、前記多重化／逆多重化器２３０から出力される多重化信号を互いに異なる光通信線路１００に分岐伝送し、前記光通信線路１００のいずれか一つの線路から伝送される光信号を前記多重化／逆多重化器２３０に伝送する役目をした。
【００２０】
ところが、前記先特許出願番号第２００３−９８９０４号で提示した波長分割多重化方式の受動光ネットワークシステムは、リング状の光通信線路上に各種機器をインターフェースすることによって発生する挿入損失、光ケーブル劣化などによる損失など、多様な環境的要因によって発生する損失に対する適切な補償がなかったので、品質低下の問題の発生するおそれがあった。
【００２１】
〔図面の簡単な説明〕
図１は波長分割多重化方式の受動光ネットワークシステムの概要図である。
【００２２】
図２は光循環器の動作例示図である。
【００２３】
図３は光分岐／結合器の動作例示図である。
【００２４】
図４は本発明による波長分割多重化方式の受動光ネットワークシステムの信号補償部の第１実施例の構成図である。
【００２５】
図５は本発明による波長分割多重化方式の受動光ネットワークシステムの信号補償部の第２実施例の構成図である。
【００２６】
図６は本発明による波長分割多重化方式の受動光ネットワークシステムの信号補償部の第３実施例の構成図である。
【００２７】
図７は本発明による波長分割多重化方式の受動光ネットワークシステムの信号補償部の第４実施例の構成図である。
【００２８】
図８は本発明による波長分割多重化方式の受動光ネットワークシステムの信号補償部の第５実施例の構成図である。
【００２９】
図９は本発明による波長分割多重化方式の受動光ネットワークシステムの信号補償部の第６実施例の構成図である。
【００３０】
図１０はリダンダンシーメディア変換器の一実施例の構成図である。
【００３１】
図１１は本発明による多重リング構造波長分割多重化方式の受動光ネットワークシステムの概要図である。
【００３２】
〔技術的課題〕
したがって、本発明者は、リング状の光通信線路上に各種機器をインターフェースすることによって発生する挿入損失、光ケーブル劣化などによる損失など、多様な環境的要因によって発生する損失を適切に補償することができる波長分割多重化方式の受動光ネットワークシステムに対する研究を行うことになった。
【００３３】
また、本発明者は、前記本発明の出願人によって先出願された技術を基にして、波長分割多重化方式の受動光ネットワークシステムに複数のリング状の光通信線路を採用し、同一システムを利用して既存より多数の加入者を収容することができるとともに、光通信線路上に各種機器をインターフェースすることによって発生する挿入損失、光ケーブル劣化などによる損失など、多様な環境的要因によって発生する損失を適切に補償することができる多重リング構造波長分割多重化方式の受動光ネットワークシステムに対する研究を行うことになった。
【００３４】
〔技術的解決方法〕
本発明は前記のような問題点に鑑みてなされたもので、光通信線路上に各種機器をインターフェースすることによって発生する挿入損失、光ケーブル劣化などによる損失など、多様な環境的要因によって発生する損失を適切に補償することができる波長分割多重化方式の受動光ネットワークシステムを提供することをその目的とする。
【００３５】
本発明は前記問題点に鑑みてなされたもので、波長分割多重化方式の受動光ネットワークシステムに複数のリング状の光通信線路を採用することで、同一システムを利用して既存より多数の加入者を収容することができるとともに、多様な環境的要因によって発生する損失を適切に補償することができる多重リング構造波長分割多重化方式の受動光ネットワークシステムを提供することをその目的とする。
【００３６】
〔有利な効果〕
本発明による波長分割多重化方式の受動光ネットワークシステム及び多重リング構造波長分割多重化方式の受動光ネットワークシステムは、光通信線路上に各種機器をインターフェースすることによって発生する挿入損失、光ケーブル劣化などによる損失など、多様な環境的要因によって発生する損失を適切に補償することで、通信品質及び安全性を向上させることができる有用な効果を有する。
【００３７】
〔発明を実施するための最良の様態〕
前記目的を達成するための本発明の一様態によれば、本発明による波長分割多重化方式の受動光ネットワークシステムは、リング状の光通信線路と；互いに異なる波長の光信号を発生する多数の光送信部と、前記光送信部と対をなし、対をなす光送信部と同一波長の光信号を受信し、これを電気的な信号に変換して出力する光受信部と、入力される互いに異なる波長の光信号を多重化して前記光通信線路に出力し、前記光通信線路を通じて入力される多重化された光信号を逆多重化して出力する多重化／逆多重化器と、指定された光送信部から出力される光信号を前記多重化／逆多重化器に出力し、前記多重化／逆多重化器で逆多重化されて入力される光信号を指定された光受信部に出力する多数の光循環器とを含む中央基地局と；前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器を通じてドロップされた光信号を加入者装置の光受信部に出力し、前記加入者装置の光送信部から入力される光信号を前記光分岐／結合器に出力する光循環器を含む少なくとも１以上の地域基地局とを含む波長分割多重化（ＷＤＭ：Ｗａｖｅｌｅｎｇｔｈ  Ｄｉｖｉｓｉｏｎ  Ｍｕｌｔｉｐｌｅｘｉｎｇ）方式の受動光ネットワーク（ＰＯＮ：Ｐａｓｓｉｖｅ  Ｏｐｔｉｃａｌ  Ｎｅｔｗｏｒｋ）システムにおいて、前記波長分割多重化方式の受動光ネットワークシステムが前記光通信線路と前記中央基地局の多重化／逆多重化器との間に送受信される信号を補償する信号補償部をさらに含むことを特徴とする。
【００３８】
したがって、この信号補償部によって、光通信線路上に各種機器をインターフェースすることによって発生する挿入損失、光ケーブル劣化などによる損失など、多様な環境的要因によって発生する損失を適切に補償する。
【００３９】
前記目的を達成するための本発明の他の一様態によれば、本発明による多重リング構造波長分割多重化方式の受動光ネットワークシステムは、リング状の光通信線路と；互いに異なる波長の光信号を発生する多数の光送信部と、前記光送信部と対をなし、対をなす光送信部と同一波長の光信号を受信し、これを電気的な信号に変換して出力する光受信部と、入力される互いに異なる波長の光信号を多重化して前記光通信線路に出力し、前記光通信線路を通じて入力される多重化された光信号を逆多重化して出力する多重化／逆多重化器と、指定された光送信部から出力される光信号を前記多重化／逆多重化器に出力し、前記多重化／逆多重化器で逆多重化されて入力される光信号を指定された光受信部に出力する多数の光循環器とを含む中央基地局と；前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器を通じてドロップされた光信号を加入者装置の光受信部に出力し、前記加入者装置の光送信部から入力される光信号を前記光分岐／結合器に出力する光循環器とを含む少なくとも１以上の地域基地局と；を含む波長分割多重化（ＷＤＭ：Ｗａｖｅｌｅｎｇｔｈ  Ｄｉｖｉｓｉｏｎ  Ｍｕｌｔｉｐｌｅｘｉｎｇ）方式の受動光ネットワーク（ＰＯＮ：Ｐａｓｓｉｖｅ  Ｏｐｔｉｃａｌ  Ｎｅｔｗｏｒｋ）システムにおいて、前記波長分割多重化方式の受動光ネットワークシステムが複数のリング状の光通信線路と；前記リング状の光通信線路それぞれに接続され、前記光通信線路と前記中央基地局の多重化／逆多重化器との間に送受信される信号をそれぞれ補償する複数の信号補償部と；前記複数の信号補償部のそれぞれと前記中央基地局の多重化／逆多重化器との間に接続され、前記多重化／逆多重化器から出力される信号を分岐して前記信号補償部のそれぞれに出力するか、あるいは前記信号補償部のそれぞれから出力される信号を前記多重化／逆多重化器に出力する光カプラーと；を含んでなることを特徴とする。
【００４０】
したがって、波長分割多重化方式の受動光ネットワークシステムに複数のリング状の光通信線路を採用することで、同一システムを利用して、既存より多数の加入者を収容することができるとともに、光通信線路上に各種機器をインターフェースすることによって発生する挿入損失、光ケーブル劣化などによる損失など、多様な環境的要因によって発生する損失を適切に補償することができることになる。
【００４１】
〔発明の構成〕
以下、添付図面を参照して記述する好適な一実施例に基づいて本発明を当業者が容易に理解して再現できるように詳細に説明する。
【００４２】
本発明による波長分割多重化方式の受動光ネットワークシステムは、図１に示した本発明の出願人によって先出願された大韓民国特許出願番号第２００３−９８９０４号で提示した波長分割多重化方式の受動光ネットワークシステムの中央基地局２００の多重化／逆多重化器２３０と光通信線路１００との間に接続される光カプラー４００の代わりに、信号補償部５００を採用することにより、光通信線路１００上に各種機器をインターフェースすることによって発生する挿入損失、光ケーブル劣化などによる損失などの多様な環境的要因によって発生する損失を適切に補償する。
【００４３】
図４は本発明による波長分割多重化方式の受動光ネットワークシステムの信号補償部の第１実施例の構成図、図５は本発明による波長分割多重化方式の受動光ネットワークシステムの信号補償部の第２実施例の構成図、図６は本発明による波長分割多重化方式の受動光ネットワークシステムの信号補償部の第３実施例の構成図、図７は本発明による波長分割多重化方式の受動光ネットワークシステムの信号補償部の第４実施例の構成図、図８は本発明による波長分割多重化方式の受動光ネットワークシステムの信号補償部の第５実施例の構成図、図９は本発明による波長分割多重化方式の受動光ネットワークシステムの信号補償部の第６実施例の構成図である。
【００４４】
具体的に、本発明による波長分割多重化方式の受動光ネットワークシステムの第１実施例によれば、前記信号補償部５００が、第１光循環器５１０と、１×２カプラー５２０と、第２光循環器５３０と、一対の増幅器５４０とを含む。
【００４５】
前記第１光循環器５１０は、前記中央基地局２００の多重化／逆多重化器２３０から出力される信号と、前記中央基地局２００の多重化／逆多重化器２３０に入力される信号とが互いに異なる経路を通じて送受信されるようにする。
【００４６】
前記１×２カプラー５２０は、前記光通信線路１００に送信される信号を分岐して出力し、前記光通信線路１００から伝送される信号を受信する。
【００４７】
前記第２光循環器５３０は、前記１×２カプラー５２０から入力される信号と、前記１×２カプラー５２０に出力される信号が互いに異なる経路を通じて送受信されるようにする。
【００４８】
前記増幅器５４０は、前記第１光循環器５１０と第２光循環器５３０間の二つの経路上に互いに反対方向に設置され、この二つの経路を通じて送受信される信号を増幅して補償する。
【００４９】
すなわち、この第１実施例は、二つの光循環器５１０、５３０を使用して、中央基地局２００の多重化／逆多重化器２３０及び光通信線路１００に反射された光信号が流入できないように具現したもので、前記第１光循環器５１０の一つのポートが前記中央基地局２００の多重化／逆多重化器２３０に連結され、残り二つのポートは互いに逆方向に設置された一対の増幅器５４０の一側にそれぞれ連結される。
【００５０】
前記互いに逆方向に設置された一対の増幅器５４０の他側には第２光循環器５３０の二つのポートがそれぞれ連結され、前記第２光循環器５３０の残り一つのポートは前記１×２カプラー５２０の一端に連結される。
【００５１】
前記１×２カプラー５２０の分岐した二つの他端はそれぞれ光通信線路１００に連結される。
【００５２】
したがって、前記中央基地局２００の多重化／逆多重化器２３０と光通信線路１００との間に送受信される光信号は前記二つの光循環器５１０、５３０によって互いに異なる伝送経路を有し、二つの伝送経路上にそれぞれ互いに逆方向に設置された一対の増幅器５４０によって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【００５３】
以下に説明する第２〜第４実施例は、前記第１実施例の二つの光循環器を採用することによって発生する費用上昇を最小化するために、光循環器の数を減らしてカプラーを使用した構造である。光循環器に比べ、カプラーは安全性の面では有利でないが、損失補償の面では価格対性能の比が優秀である。
【００５４】
本発明による波長分割多重化方式の受動光ネットワークシステムの第２実施例によれば、前記信号補償部５００は、光循環器６１０と、２×２カプラー６２０と、一対の増幅器６３０とを含む。
【００５５】
前記光循環器６１０は、前記中央基地局２００の多重化／逆多重化器２３０から出力される信号と、前記中央基地局２００の多重化／逆多重化器２３０に入力される信号とが互いに異なる経路を通じて送受信されるようにする。
【００５６】
前記２×２カプラー６２０は、前記光通信線路１００に送信される信号を分岐して出力し、前記光通信線路１００から受信される信号を分岐して出力する。
【００５７】
前記増幅器６３０は、前記光循環器６１０と２×２カプラー６２０との間の二つの経路上に互いに反対方向に設置され、この二つの経路を通じて送受信される信号を増幅して補償する。
【００５８】
すなわち、この第２実施例は、一つの光循環器６１０を使用して中央基地局２００の多重化／逆多重化器２３０で反射された光信号が流入できないように具現したもので、前記光循環器６１０の一つのポートが前記中央基地局２００の多重化／逆多重化器２３０に連結され、残り二つのポートは互いに逆方向に設置された一対の増幅器６３０の一側にそれぞれ連結される。
【００５９】
前記互いに逆方向に設置された一対の増幅器６３０の他側には、２×２カプラー６２０の分岐した一端がそれぞれ連結され、前記２×２カプラー６２０の分岐した他端のそれぞれは光通信線路１００に連結される。
【００６０】
したがって、前記中央基地局２００の多重化／逆多重化器２３０と光通信線路１００との間に送受信される光信号は前記光循環器６１０と２×２カプラー６２０によって互いに異なる伝送経路を有し、二つの伝送経路上にそれぞれ互いに逆方向に設置された一対の増幅器６３０によって、送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【００６１】
本発明による波長分割多重化方式の受動光ネットワークシステムの第３実施例によれば、前記信号補償部５００は、１×２カプラー７１０と、２×２カプラー７２０と、一対の増幅器７３０とを含む。
【００６２】
前記１×２カプラー７１０は、前記中央基地局２００の多重化／逆多重化器２３０から出力される信号を分岐して出力し、前記中央基地局２００の多重化／逆多重化器２３０に伝送される信号を受信する。
【００６３】
前記２×２カプラー７２０は、前記光通信線路１００に送信される信号を分岐して出力し、前記光通信線路１００から受信される信号を分岐して出力する。
【００６４】
前記増幅器７３０は、前記１×２カプラー７１０と２×２カプラー７２０との間の二つの経路上に互いに反対方向に設置され、この二つの経路を通じて送受信される信号を増幅して補償する。
【００６５】
すなわち、この第３実施例は、光循環器を採用しないから、反射される信号遮断効率は前記第１及び第２実施例に比べて優秀ではないが、費用をさらに最小化するように具現したもので、前記１×２カプラー７１０の一端は前記中央基地局２００の多重化／逆多重化器２３０に連結され、分岐した他端は互いに逆方向に設置された一対の増幅器７３０の一側にそれぞれ連結される。
【００６６】
前記互いに逆方向に設置された一対の増幅器７３０の他側には２×２カプラー７２０の分岐した一端がそれぞれ連結され、前記２×２カプラー７２０の分岐した他端はそれぞれ光通信線路１００に連結される。
【００６７】
したがって、前記中央基地局２００の多重化／逆多重化器２３０と光通信線路１００との間に送受信される光信号は前記１×２カプラー７１０と２×２カプラー７２０によって互いに異なる伝送経路を有し、二つの伝送経路上にそれぞれ互いに逆方向に設置された一対の増幅器７３０によって、送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【００６８】
本発明による波長分割多重化方式の受動光ネットワークシステムの第４実施例によれば、前記信号補償部５００は、第１１×２カプラー８１０と、第２１×２カプラー８２０と、光循環器８３０と、一対の増幅器８４０とを含む。
【００６９】
前記第１１×２カプラー８１０は、前記中央基地局２００の多重化／逆多重化器２３０から出力される信号を分岐して出力し、前記中央基地局２００の多重化／逆多重化器２３０に伝送される信号を受信する。
【００７０】
前記第２１×２カプラー８２０は、前記光通信線路１００に送信される信号を分岐して出力し、前記光通信線路１００から伝送される信号を受信する。
【００７１】
前記光循環器８３０は、前記第２１×２カプラー８２０から入力される信号と、前記第２１×２カプラー８２０に出力される信号とが互いに異なる経路を通じて送受信されるようにする。
【００７２】
前記増幅器８４０は、前記第１１×２カプラー８１０と光循環器８３０との間の二つの経路上に互いに反対方向に設置され、この二つの経路を通じて送受信される信号を増幅して補償する。
【００７３】
すなわち、この第４実施例は、一つの光循環器８３０を使用して光通信経路１００で反射された光信号が流入できないように具現したもので、前記第１１×２カプラー８１０の一端は前記中央基地局２００の多重化／逆多重化器２３０に連結され、分岐した他端は互いに逆方向に設置された一対の増幅器８４０の一側にそれぞれ連結される。
【００７４】
前記互いに逆方向に設置された一対の増幅器８４０の他側には光循環器８３０の二つのポートがそれぞれ連結され、前記光循環器８３０の残り一つのポートは前記第２１×２カプラー８２０の一端に連結される。
【００７５】
前記第２１×２カプラー８２０の分岐した二つの他端はそれぞれ光通信線路１００に連結される。
【００７６】
したがって、前記中央基地局２００の多重化／逆多重化器２３０と光通信線路１００との間に送受信される光信号は前記第１１×２カプラー８１０と光循環器８３０によって互いに異なる伝送経路を有し、二つの伝送経路上にそれぞれ互いに逆方向に設置された一対の増幅器８４０によって、送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【００７７】
本発明による波長分割多重化方式の受動光ネットワークシステムの第５実施例によれば、前記信号補償部５００は、第１１×２カプラー９１０と、一対の光循環器９２０ａ、９２０ｂと、一対の第２１×２カプラー９３０ａ、９３０ｂと、一対の増幅器９４０ａ、９４０ｂとを含む。
【００７８】
前記第１１×２カプラー９１０は、前記中央基地局２００の多重化／逆多重化器２３０から出力される信号を分岐して出力し、前記中央基地局２００の多重化／逆多重化器２３０に伝送される信号を受信する。
【００７９】
前記一対の光循環器９２０ａ、９２０ｂは、前記第１１×２カプラー９１０の分岐側それぞれに設置されて前記第１１×２カプラー９１０から分岐して出力された信号とこれに入力される信号とが互いに異なる経路を通じて送受信されるようにする。
【００８０】
前記一対の第２１×２カプラー９３０ａ、９３０ｂは、前記光通信線路１００に送信される信号をそれぞれ出力し、前記光通信線路１００から受信された信号をそれぞれ分岐して出力する。
【００８１】
前記一対の増幅器９４０ａ、９４０ｂは、前記一対の光循環器９２０ａ、９２０ｂと一対の第２１×２カプラー９３０ａ、９３０ｂとの間にそれぞれ形成された二つの経路上に互いに反対方向に設置された一対の増幅器をそれぞれ備え、この二つの経路を通じて送受信される信号を増幅して補償する。
【００８２】
すなわち、この第５実施例は、一対の光循環器９２０ａ、９２０ｂを使用して、光通信経路１００から分岐した二つの経路を通じてそれぞれ流入する反射された光信号を遮断するように具現したもので、前記第１１×２カプラー９１０の一端は前記中央基地局２００の多重化／逆多重化器２３０に連結され、分岐した他端はそれぞれ一対の光循環器９２０ａ、９２０ｂの一側ポートと連結される。
【００８３】
前記一対の光循環器９２０ａ、９２０ｂの他側ポートは互いに逆方向に設置された一対の増幅器９４０ａ、９４０ｂの一側にそれぞれ連結される。
【００８４】
互いに逆方向に設置された一対の増幅器９４０ａ、９４０ｂの他側には一対の第２１×２カプラー９３０ａ、９３０ｂの一側がそれぞれ連結され、前記一対の第２１×２カプラー９３０ａ、９３０ｂの他側はそれぞれ光通信線路１００に連結される。
【００８５】
したがって、前記中央基地局２００の多重化／逆多重化器２３０と光通信線路１００との間に送受信される光信号は前記第１１×２カプラー９１０によって分岐した二つの経路を通じて送受信され、このそれぞれの経路は前記一対の光循環器９２０ａ、９２０ｂと一対の第２１×２カプラー９３０ａ、９３０ｂによって互いに異なる下位的な伝送経路を有し、二つの伝送経路上にそれぞれ互いに逆方向に設置された一対の増幅器９４０ａ、９４０ｂによって、送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【００８６】
本発明による波長分割多重化方式の受動光ネットワークシステムの第６実施例によれば、前記信号補償部５００は、１×２カプラー１０１０と、一対の第１光循環器１０２０ａ、１０２０ｂと、一対の第２光循環器１０３０ａ、１０３０ｂと、一対の増幅器１０４０ａ、１０４０ｂとを含む。
【００８７】
前記１×２カプラー１０１０は、前記中央基地局２００の多重化／逆多重化器２３０から出力される信号を分岐して出力し、前記中央基地局２００の多重化／逆多重化器２３０に伝送される信号を受信する。
【００８８】
前記一対の第１光循環器１０２０ａ、１０２０ｂは、前記１×２カプラー１０１０の分岐側にそれぞれ設置され、前記１×２カプラー１０１０から分岐して出力された信号とこれに入力される信号とが互いに異なる経路を通じて送受信されるようにする。
【００８９】
前記一対の第２光循環器１０３０ａ、１０３０ｂは、前記光通信線路１００に送信される信号と、前記光通信線路１００から受信された信号とを互いに異なる経路を通じてそれぞれ出力する。
【００９０】
前記一対の増幅器１０４０ａ、１０４０ｂは、前記一対の第１光循環器１０２０ａ、１０２０ｂと一対の第２光循環器１０３０ａ、１０３０ｂとの間にそれぞれ形成された二つの経路上に互いに反対方向に設置された一対の増幅器をそれぞれ備え、この二つの経路を通じて送受信される信号を増幅して補償する。
【００９１】
すなわち、この第６実施例は、二対の光循環器１０２０ａ、１０２０ｂ、１０３０ａ、１０３０ｂを使用して、光通信経路１００から分岐した二つの経路を通じてそれぞれ流入する反射された光信号を遮断するように具現したもので、前記１×２カプラー１０１０の一端は前記中央基地局２００の多重化／逆多重化器２３０に連結され、分岐した他端はそれぞれ一対の第１光循環器１０２０ａ、１０２０ｂの一側ポートと連結される。
【００９２】
前記一対の光循環器１０２０ａ、１０２０ｂの他側ポートはそれぞれ互いに逆方向に設置された一対の増幅器１０４０ａ、１０４０ｂの一側に連結される。
【００９３】
互いに逆方向に設置された一対の増幅器１０４０ａ、１０４０ｂの他側には一対の第２光循環器１０３０ａ、１０３０ｂの一側の二つのポートがそれぞれ連結され、前記一対の第２光循環器１０３０ａ、１０３０ｂの他側の一つのポートはそれぞれ光通信線路１００に連結される。
【００９４】
したがって、前記中央基地局２００の多重化／逆多重化器２３０と光通信線路１００との間に送受信される光信号は前記１×２カプラー１０１０によって分岐した二つの経路を通じて送受信され、このそれぞれの経路は前記一対の第１光循環器１０２０ａ、１０２０ｂと一対の第２光循環器１０３０ａ、１０３０ｂによって互いに異なる下位的な伝送経路を有し、二つの伝送経路上にそれぞれ互いに逆方向に設置された一対の増幅器１０４０ａ、１０４０ｂによって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【００９５】
一方、本発明の出願人によって先出願された大韓民国特許出願番号第２００３−９８９０４号及び大韓民国特許出願番号第２００４−２４２３４号で充分に説明されたその他の構成についての具体的な説明は本願発明の明細書及び図面上では省略したが、本発明の核心構成である信号補償部５００を除いた残りの構成は前記先特許出願番号第２００３−９８９０４号及び先特許出願番号第２００４−２４２３４号に記載した発明と同一であることを原則とする。
【００９６】
したがって、前記のようにすることにより、前述したような本発明による波長分割多重化方式の受動光ネットワークシステムの目的を達成することができることになる。
【００９７】
図１１は本発明による多重リング構造波長分割多重化方式の受動光ネットワークシステムの概要図である。
【００９８】
同図に示すように、本発明による多重リング構造波長分割多重化方式の受動光ネットワークシステムは、複数のリング状の光通信線路１００ａ、１００ｂと、中央基地局２００と、多数の地域基地局３００と、光カプラー４００と、多数の信号補償部５００とを含んでなり、前記中央基地局２００は、リング状の光通信線路１００ａまたは１００ｂを通じて多数の地域基地局３００と連結される。
【００９９】
前記中央基地局２００は、互いに異なる波長の光信号を発生するための多数の光送信部２１０と、前記各光送信部２１０と対をなし、この対をなす光送信部２１０と同一波長の光信号を受信し、これを電気的な信号に変換して出力する多数の光受信部２２０とを含む。この際、前記光送信部２１０が互いに異なる波長の光信号を発生しないで単一の広帯域波長を発生させ、グレーティング素子（図示せず）を利用して、互いに異なる波長の光信号を発生するように具現することもできることは当然である。
【０１００】
また、前記中央基地局２００は、光循環器２４０を通じて入力される互いに異なる波長の光信号を多重化して前記光通信線路１００ａまたは１００ｂに出力し、前記光通信線路１００ａまたは１００ｂを通じて入力される多重化された光信号を逆多重化して前記光循環器２４０に出力する多重化／逆多重化器２３０を含む。
【０１０１】
さらに、前記中央基地局２００は、指定された光送信部２１０から出力される光信号を前記多重化／逆多重化器２３０に出力し、前記多重化／逆多重化器２３０で逆多重化されて入力される光信号を指定された光受信部２２０に出力する多数の光循環器２４０を含む。
【０１０２】
この光循環器２４０は、構造上、入力ポートを通じて入射した光が決して再び同一ポートに帰ることができないように設計された光素子である。これは、光源から発生した光はどんな経路に沿って来ても再び光源に流入しないことを意味する。このような光循環器２４０の動作については本発明の出願人によって先出願された特許に説明しているので、これについての具体的な説明は省略する。
【０１０３】
例えば、光循環器２４０のポート１を光送信部２１０に連結し、ポート２とポート３をそれぞれ多重化／逆多重化器２３０、光受信部２２０に連結すれば、それぞれの光送信部２１０で発生した光信号はポート２を通じて多重化／逆多重化器２３０で多重化され、光通信線路１００ａまたは１００ｂを通じて各地域基地局３００に伝送され、リングタイプの光通信線路１００ａまたは１００ｂを通じて循環された光信号は多重化／逆多重化器２３０で逆多重化された後、それぞれの光循環器２４０のポート２に流入することによって、各光受信部２２０はポート３を通じて光信号を受信することになるものである。この際、ポート２を通じて流入した光信号はポート１に帰ることができずにポート３のみを通じて出力されるから、光信号が光源に流入する現象が現われなくなる。
【０１０４】
したがって、低速はもちろん高速のデータ伝送時にもパケット伝送エラーが発生しない利点を有することになるものである。
【０１０５】
前記地域基地局３００は、前記光通信線路１００ａまたは１００ｂを通じて伝送される光信号のうち、特定帯域の波長を有する信号のみをドロップさせて加入者装置（図示せず）側に出力し、前記加入者装置側から伝送される光信号を前記光通信線路１００ａまたは１００ｂに出力する光分岐／結合器３１０と、前記光分岐／結合器３１０を通じてドロップされた光信号を加入者装置の光受信部に出力し、前記加入者装置の光送信部から入力される光信号を前記光分岐／結合器３１０に出力する多数の光循環器３２１ａ、３２１ｂとを含む。
【０１０６】
この際、各地域基地局３００は、前記光循環器３２１ａ、３２１ｂによって各加入者装置の光送信部に光信号が流入することを前もって遮断することができることになる。
【０１０７】
図面で未説明符号３２０はメディア変換器で、前記本発明の出願人によって先出願された特許に詳細に説明されているので、これについての具体的な説明は省略する。
【０１０８】
前記光カプラー４００は、前記複数の信号補償部５００のそれぞれと前記中央基地局２００の多重化／逆多重化器２３０との間に接続され、前記多重化／逆多重化器２３０から出力される信号を分岐して前記信号補償部５００のそれぞれに出力するか、あるいは前記信号補償部５００のそれぞれから出力される信号を前記多重化／逆多重化器２３０に出力する。
【０１０９】
前記信号補償部５００は、前記リング状の光通信線路１００ａ、１００ｂのそれぞれに接続され、前記光通信線路１００ａ、１００ｂと前記中央基地局２００の多重化／逆多重化器２３０との間に送受信される信号をそれぞれ補償する。
【０１１０】
すなわち、本発明は、波長分割多重化方式の受動光ネットワークシステムに複数のリング状の光通信線路１００ａ、１００ｂを採用することによって、同一システムを利用して既存より多数の加入者を収容することができるとともに、前記複数の光通信線路１００ａ、１００ｂと前記中央基地局２００の多重化／逆多重化器２３０との間に前記光カプラー４００を利用して複数の信号補償部５００を接続して具現することにより、複数の光通信線路１００ａ、１００ｂ上に各種機器をインターフェースすることによって発生する挿入損失、光ケーブル劣化などによる損失など、多様な環境的要因によって発生する損失を適切に補償する。
【０１１１】
一方、前述した図４〜図９は、本発明による図１１の多重リング構造波長分割多重化方式の受動光ネットワークシステムの信号補償部にも適用することができる。言い換えれば、図４は本発明による多重リング構造波長分割多重化方式の受動光ネットワークシステムの信号補償部の第１実施例の構成図、図５は本発明による多重リング構造波長分割多重化方式の受動光ネットワークシステムの信号補償部の第２実施例の構成図、図６は本発明による多重リング構造波長分割多重化方式の受動光ネットワークシステムの信号補償部の第３実施例の構成図、図７は本発明による多重リング構造波長分割多重化方式の受動光ネットワークシステムの信号補償部の第４実施例の構成図、図８は本発明による多重リング構造波長分割多重化方式の受動光ネットワークシステムの信号補償部の第５実施例の構成図、図９は本発明による多重リング構造波長分割多重化方式の受動光ネットワークシステムの信号補償部の第６実施例の構成図である。
【０１１２】
これをさらに説明すれば、次のようである。
【０１１３】
本発明による多重リング構造波長分割多重化方式の受動光ネットワークシステムの第１実施例によれば、前記信号補償部５００は、第１光循環器５１０と、１×２カプラー５２０と、第２光循環器５３０と、一対の増幅器５４０とを含む。
【０１１４】
前記第１光循環器５１０は、前記中央基地局２００の多重化／逆多重化器２３０から出力されて前記光カプラー４００を介して出力される信号と、前記中央基地局２００の多重化／逆多重化器２３０に前記光カプラー４００を介して入力される信号とが互いに異なる経路を通じて送受信されるようにする。
【０１１５】
前記１×２カプラー５２０は、前記光通信線路１００ａまたは１００ｂに送信される信号を分岐して出力し、前記光通信線路１００ａまたは１００ｂから伝送される信号を受信する。
【０１１６】
前記第２光循環器５３０は、前記１×２カプラー５２０から入力される信号と、前記１×２カプラー５２０に出力される信号とが互いに異なる経路を通じて送受信されるようにする。
【０１１７】
前記増幅器５４０は、前記第１光循環器５１０と第２光循環器５３０との間の二つの経路上に互いに反対方向に設置され、この二つの経路を通じて送受信される信号を増幅して補償する。
【０１１８】
すなわち、この第１実施例は、二つの光循環器５１０、５３０を使用して、中央基地局２００の多重化／逆多重化器２３０及び光通信線路１００ａまたは１００ｂで反射された光信号が流入できないように具現したもので、前記第１光循環器５１０の一つのポートが前記中央基地局２００の多重化／逆多重化器２３０に連結された光カプラー４００の他側一端に連結され、残り二つのポートはそれぞれ互いに逆方向に設置された一対の増幅器５４０の一側にそれぞれ連結される。
【０１１９】
前記互いに逆方向に設置された一対の増幅器５４０他側には第２光循環器５３０の二つのポートがそれぞれ連結されて、前記第２光循環器５３０の残り一つのポートは前記１×２カプラー５２０の一側端と連結される。
【０１２０】
前記１×２カプラー５２０の分岐した二つの他端はそれぞれ光通信線路１００ａまたは１００ｂに連結される。
【０１２１】
したがって、前記中央基地局２００の多重化／逆多重化器２３０と光通信線路１００ａまたは１００ｂとの間に送受信される光信号は、前記二つの光循環器５１０、５３０によって互いに異なる伝送経路を有し、二つの伝送経路上にそれぞれ互いに逆方向に設置された一対の増幅器５４０によって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【０１２２】
以下に説明する第２〜第４実施例は、前記第１実施例の二つの光循環器を採用することによって発生する費用の上昇を最小化するために、光循環器の数を減らしカプラーを使用した構造である。光循環器に比べ、カプラーは安全性の面では有利でないが、損失補償の面では価格対性能の比が優秀である。
【０１２３】
本発明による多重リング構造波長分割多重化方式の受動光ネットワークシステムの第２実施例によれば、前記信号補償部５００が光循環器６１０と、２×２カプラー６２０と、一対の増幅器６３０とを含む。
【０１２４】
前記光循環器６１０は、前記中央基地局２００の多重化／逆多重化器２３０から出力されて前記光カプラー４００を介して出力される信号と、前記中央基地局２００の多重化／逆多重化器２３０に前記光カプラー４００を介して入力される信号とが互いに異なる経路を通じて送受信されるようにする。
【０１２５】
前記２×２カプラー６２０は、前記光通信線路１００ａまたは１００ｂに送信される信号を分岐して出力し、前記光通信線路１００ａまたは１００ｂから受信される信号を分岐して出力する。
【０１２６】
前記増幅器６３０は、前記光循環器６１０と２×２カプラー６２０との間の二つの経路上に互いに反対方向に設置され、この二つの経路を通じて送受信される信号を増幅して補償する。
【０１２７】
すなわち、この第２実施例は、一つの光循環器６１０を使用して中央基地局２００の多重化／逆多重化器２３０で反射された光信号が流入できないように具現したもので、前記光循環器６１０の一つのポートが前記中央基地局２００の多重化／逆多重化器２３０に連結された光カプラー４００の他側一端に連結され、残り二つのポートは互いに逆方向に設置された一対の増幅器６３０の一側にそれぞれ連結される。
【０１２８】
前記互いに逆方向に設置された一対の増幅器６３０の他側には２×２カプラー６２０の分岐した一端のそれぞれが連結され、前記２×２カプラー６２０の分岐した他端のそれぞれは光通信線路１００ａまたは１００ｂに連結される。
【０１２９】
したがって、前記中央基地局２００の多重化／逆多重化器２３０と光通信線路１００ａまたは１００ｂとの間に送受信される光信号は前記光循環器６１０と２×２カプラー６２０によって互いに異なる伝送経路を有し、二つの伝送経路上にそれぞれ互いに逆方向に設置された一対の増幅器６３０によって、送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【０１３０】
本発明による多重リング構造波長分割多重化方式の受動光ネットワークシステムの第３実施例によれば、前記信号補償部５００は、１×２カプラー７１０と、２×２カプラー７２０と、一対の増幅器７３０とを含む。
【０１３１】
前記１×２カプラー７１０は、前記中央基地局２００の多重化／逆多重化器２３０から出力されて前記光カプラー４００を介して出力される信号を分岐して出力し、前記光カプラー４００を介して前記中央基地局２００の多重化／逆多重化器２３０に伝送される信号を受信する。
【０１３２】
前記２×２カプラー７２０は、前記光通信線路１００ａまたは１００ｂに送信される信号を分岐して出力し、前記光通信線路１００ａまたは１００ｂから受信される信号を分岐して出力する。
【０１３３】
前記増幅器７３０は、前記１×２カプラー７１０と２×２カプラー７２０との間の二つの経路上に互いに反対方向に設置され、この二つの経路を通じて送受信される信号を増幅して補償する。
【０１３４】
すなわち、この第３実施例は、光循環器を採用しないから、反射される信号の遮断効率は前記第１及び第２実施例に比べて優秀ではないが、費用をさらに最小化するように具現したもので、前記１×２カプラー７１０の一端は前記中央基地局２００の多重化／逆多重化器２３０に連結された光カプラー４００の他側一端に連結され、分岐した他端は互いに逆方向に設置された一対の増幅器７３０の一側にそれぞれ連結される。
【０１３５】
前記互いに逆方向に設置された一対の増幅器７３０の他側には２×２カプラー７２０の分岐した一端のそれぞれが連結され、前記２×２カプラー７２０の分岐した他端のそれぞれは光通信線路１００ａまたは１００ｂに連結される。
【０１３６】
したがって、前記中央基地局２００の多重化／逆多重化器２３０と光通信線路１００ａまたは１００ｂとの間に送受信される光信号は前記１×２カプラー７１０と２×２カプラー７２０によって互いに異なる伝送経路を有し、二つの伝送経路上にそれぞれ互いに逆方向に設置された一対の増幅器７３０によって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【０１３７】
本発明による多重リング構造波長分割多重化方式の受動光ネットワークシステムの第４実施例によれば、前記信号補償部５００は、第１１×２カプラー８１０と、第２１×２カプラー８２０と、光循環器８３０と、一対の増幅器８４０とを含む。
【０１３８】
前記第１１×２カプラー８１０は、前記中央基地局２００の多重化／逆多重化器２３０から出力されて前記光カプラー４００を介して出力される信号を分岐して出力し、前記光カプラー４００を介して前記中央基地局２００の多重化／逆多重化器２３０に伝送される信号を受信する。
【０１３９】
前記第２１×２カプラー８２０は、前記光通信線路１００ａまたは１００ｂに送信される信号を分岐して出力し、前記光通信線路１００ａまたは１００ｂから伝送される信号を受信する。
【０１４０】
前記光循環器８３０は、前記第２１×２カプラー８２０から入力される信号と、前記第２１×２カプラー８２０に出力される信号とが互いに異なる経路を通じて送受信されるようにする。
【０１４１】
前記増幅器８４０は、前記第１１×２カプラー８１０と光循環器８３０との間の二つの経路上に互いに反対方向に設置され、この二つの経路を通じて送受信される信号を増幅して補償する。
【０１４２】
すなわち、この第４実施例は、一つの光循環器８３０を使用して、光通信経路１００で反射された光信号が流入できないように具現したもので、前記第１１×２カプラー８１０の一端は前記中央基地局２００の多重化／逆多重化器２３０に連結された光カプラー４００の他側一端に連結され、分岐した他端は互いに逆方向に設置された一対の増幅器８４０の一側にそれぞれ連結される。
【０１４３】
前記互いに逆方向に設置された一対の増幅器８４０の他側には光循環器８３０の二つのポートがそれぞれ連結され、前記光循環器８３０の残り一つのポートは前記第２１×２カプラー８２０の一側端と連結される。
【０１４４】
前記第２１×２カプラー８２０の分岐した二つの他端はそれぞれ光通信線路１００ａまたは１００ｂに連結される。
【０１４５】
したがって、前記中央基地局２００の多重化／逆多重化器２３０と光通信線路１００ａまたは１００ｂとの間に送受信される光信号は前記第１１×２カプラー８１０と光循環器８３０によって互いに異なる伝送経路を有し、二つの伝送経路上にそれぞれ互いに逆方向に設置された一対の増幅器８４０によって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【０１４６】
本発明による多重リング構造波長分割多重化方式の受動光ネットワークシステムの第５実施例によれば、前記信号補償部５００は、第１１×２カプラー９１０と、一対の光循環器９２０ａ、９２０ｂと、一対の第２１×２カプラー９３０ａ、９３０ｂと、一対の増幅器９４０ａ、９４０ｂとを含む。
【０１４７】
前記第１１×２カプラー９１０は、前記中央基地局２００の多重化／逆多重化器２３０から出力されて前記光カプラー４００を介して出力される信号を分岐して出力し、前記光カプラー４００を介して前記中央基地局２００の多重化／逆多重化器２３０に伝送される信号を受信する。
【０１４８】
前記一対の光循環器９２０ａ、９２０ｂは、前記第１１×２カプラー９１０の分岐側のそれぞれに設置され、前記第１１×２カプラー９１０から分岐して出力された信号とこれに入力される信号とがそれぞれ互いに異なる経路を通じて送受信されるようにする。
【０１４９】
前記一対の第２１×２カプラー９３０ａ、９３０ｂは、前記光通信線路１００ａまたは１００ｂに送信される信号をそれぞれ出力し、前記光通信線路１００ａまたは１００ｂから受信された信号をそれぞれ分岐して出力する。
【０１５０】
前記一対の増幅器９４０ａ、９４０ｂは、前記一対の光循環器９２０ａ、９２０ｂと一対の第２１×２カプラー９３０ａ、９３０ｂとの間にそれぞれ形成された二つの経路上に互いに反対方向に設置された一対の増幅器をそれぞれ備え、この二つの経路を通じて送受信される信号を増幅して補償する。
【０１５１】
すなわち、この第５実施例は、一対の光循環器９２０ａ、９２０ｂを使用して、光通信経路１００から分岐した二つの経路を通じてそれぞれ流入する反射された光信号を遮断するように具現したもので、前記第１１×２カプラー９１０の一端は前記中央基地局２００の多重化／逆多重化器２３０に連結された光カプラー４００の他側一端に連結され、分岐した他端のそれぞれは一対の光循環器９２０ａ、９２０ｂの一側ポートと連結される。
【０１５２】
前記一対の光循環器９２０ａ、９２０ｂの他側ポートは互いに逆方向に設置された一対の増幅器９４０ａ、９４０ｂの一側にそれぞれ連結される。
【０１５３】
互いに逆方向に設置された一対の増幅器９４０ａ、９４０ｂの他側には一対の第２１×２カプラー９３０ａ、９３０ｂの一側がそれぞれ連結され、前記一対の第２１×２カプラー９３０ａ、９３０ｂの他側のそれぞれは光通信線路１００ａまたは１００ｂに連結される。
【０１５４】
したがって、前記中央基地局２００の多重化／逆多重化器２３０と光通信線路１００ａまたは１００ｂとの間に送受信される光信号は前記第１１×２カプラー９１０によって分岐した二つの経路を通じて送受信され、このそれぞれの経路は前記一対の光循環器９２０ａ、９２０ｂと一対の第２１×２カプラー９３０ａ、９３０ｂによって互いに異なる下位的な伝送経路を有し、二つの伝送経路上にそれぞれ互いに逆方向に設置された一対の増幅器９４０ａ、９４０ｂによって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【０１５５】
本発明による多重リング構造波長分割多重化方式の受動光ネットワークシステムの第６実施例によれば、前記信号補償部５００は、１×２カプラー１０１０と、一対の第１光循環器１０２０ａ、１０２０ｂと、一対の第２光循環器１０３０ａ、１０３０ｂと、一対の増幅器１０４０ａ、１０４０ｂとを含む。
【０１５６】
前記１×２カプラー１０１０は、前記中央基地局２００の多重化／逆多重化器２３０から出力されて前記光カプラー４００を介して出力される信号を分岐して出力し、前記光カプラー４００を介して前記中央基地局２００の多重化／逆多重化器２３０に伝送される信号を受信する。
【０１５７】
前記一対の第１光循環器１０２０ａ、１０２０ｂは、前記１×２カプラー１０１０の分岐側のそれぞれに設置され、前記１×２カプラー１０１０から分岐して出力された信号とこれに入力される信号とがそれぞれ互いに異なる経路を通じて送受信されるようにする。
【０１５８】
前記一対の第２光循環器１０３０ａ、１０３０ｂは、前記光通信線路１００ａまたは１００ｂに送信される信号と、前記光通信線路１００ａまたは１００ｂから受信された信号とを互いに異なる経路を通じてそれぞれ出力する。
【０１５９】
前記一対の増幅器１０４０ａ、１０４０ｂは、前記一対の第１光循環器１０２０ａ、１０２０ｂと一対の第２光循環器１０３０ａ、１０３０ｂとの間にそれぞれ形成された二つの経路上に互いに反対方向に設置された一対の増幅器をそれぞれ備え、この二つの経路を通じて送受信される信号を増幅して補償する。
【０１６０】
すなわち、この第６実施例は、二対の光循環器１０２０ａ、１０２０ｂ、１０３０ａ、１０３０ｂを使用して、光通信経路１００から分岐した二つの経路を通じてそれぞれ流入する反射された光信号を遮断するように具現したもので、前記１×２カプラー１０１０の一端は前記中央基地局２００の多重化／逆多重化器２３０に連結された光カプラー４００の他側一端に連結され、分岐した他端のそれぞれは一対の第１光循環器１０２０ａ、１０２０ｂの一側ポートと連結される。
【０１６１】
前記一対の光循環器１０２０ａ、１０２０ｂの他側ポートは互いに逆方向に設置された一対の増幅器１０４０ａ、１０４０ｂの一側にそれぞれ連結される。
【０１６２】
互いに逆方向に設置された一対の増幅器１０４０ａ、１０４０ｂの他側には一対の第２光循環器１０３０ａ、１０３０ｂの一側の二つのポートがそれぞれ連結され、前記一対の第２光循環器１０３０ａ、１０３０ｂの他側の一つのポートのそれぞれは光通信線路１００ａまたは１００ｂに連結される。
【０１６３】
したがって、前記中央基地局２００の多重化／逆多重化器２３０と光通信線路１００ａまたは１００ｂとの間に送受信される光信号は前記１×２カプラー１０１０によって分岐した二つの経路を通じて光信号が送受信され、このそれぞれの経路は前記一対の第１光循環器１０２０ａ、１０２０ｂと一対の第２光循環器１０３０ａ、１０３０ｂとによって互いに異なる下位的な伝送経路を有し、二つの伝送経路上にそれぞれ互いに逆方向に設置された一対の増幅器１０４０ａ、１０４０ｂによって送受信される信号が適切に増幅されることにより、光通信線路上に各種機器をインターフェースすることによって発生する挿入損失、光ケーブル劣化などによる損失など、多様な環境的要因によって発生する損失を適切に補償することになる。
【０１６４】
したがって、前記のようにすることによって、前記で提示した本発明による多重リング構造波長分割多重化方式の受動光ネットワークシステムの目的を達成することができることになる。  
【０１６５】
本発明は添付図面を参照して好適な実施例に基づいて説明したが、当業者であれば、このような説明から、後述する特許請求範囲によって包括される本発明の範疇を逸脱することなしに多様な変形が可能であろう。
【図面の簡単な説明】
【０１６６】
【図１】波長分割多重化方式の受動光ネットワークシステムの概要図である。
【図２】光循環器の動作例示図である。
【図３】光分岐／結合器の動作例示図である。
【図４】本発明による波長分割多重化方式の受動光ネットワークシステムの信号補償部の第１実施例の構成図である。
【図５】本発明による波長分割多重化方式の受動光ネットワークシステムの信号補償部の第２実施例の構成図である。
【図６】本発明による波長分割多重化方式の受動光ネットワークシステムの信号補償部の第３実施例の構成図である。
【図７】本発明による波長分割多重化方式の受動光ネットワークシステムの信号補償部の第４実施例の構成図である。
【図８】本発明による波長分割多重化方式の受動光ネットワークシステムの信号補償部の第５実施例の構成図である。
【図９】本発明による波長分割多重化方式の受動光ネットワークシステムの信号補償部の第６実施例の構成図である。
【図１０】リダンダンシーメディア変換器の一実施例の構成図である。
【図１１】本発明による多重リング構造波長分割多重化方式の受動光ネットワークシステムの概要図である。
【図１】
2007535237.tif 000003
【図２】
2007535237.tif 000004
【図３】
2007535237.tif 000005
【図４】
2007535237.tif 000006
【図５】
2007535237.tif 000007
【図６】
2007535237.tif 000008
【図７】
2007535237.tif 000009
【図８】
2007535237.tif 000010
【図９】
2007535237.tif 000011
【図１０】
2007535237.tif 000012
【図１１】
2007535237.tif 000013
【国際調査報告】
2007535237.tif 000014
2007535237.tif 000015